(57)【要約】【課題】既製杭をプレボーリング工法によって施工する際に、支持層までの深さが既製杭の杭長より深い場合でも、新たに杭を発注したりすることなく既製杭を杭設置孔に設置できる既製杭の施工方法を提供する。【解決手段】杭の設置位置に支持層４に到達する杭設置孔２を掘削する。杭設置孔２内に既製杭３を杭の先端が支持層４に到達するように設置する。杭設置孔３の深さが既製杭３の杭長より深い場合は、既製杭３の先端部に既製杭３の先端部より支持層４に到達する長さを有する接続杭５を接続して設置する。【選択図】図１
2017128878.tif 000002
【特許請求の範囲】
【請求項１】
建設予定地の杭の設置位置に支持層に到達する杭設置孔を掘削し、当該杭設置孔内に既製杭を杭の先端が前記支持層に到達するように設置する既製杭の施工方法において、前記杭設置孔の深さが前記既製杭の杭長より深い場合は、前記既製杭の先端部に当該既製杭の先端部より支持層に到達する長さを有する接続杭を接続して設置することを特徴とする既製杭の施工方法。
【請求項２】
請求項１記載の既製杭の施工方法において、接続杭の先端部は根固め部の中に設置することを特徴とする既製杭の施工方法。
【請求項３】
請求項１または２記載の既製杭の施工方法において、接続杭はRC杭、PC杭、PHC杭、PRC杭またはSC杭を切断したものであることを特徴とする既製杭の施工方法。
【発明の詳細な説明】
【技術分野】
【０００１】
本発明は、杭の設置位置に支持層に到達する杭設置孔を掘削し、当該杭設置孔内にPHC杭などの既製杭を先端が支持層に到達するように設置する既製杭の施工方法に関し、特に杭設置孔の支持層までの深さが既製杭の杭長より深い場合でも、新たに杭を発注したり杭の頭部に設置されるフーチングの設計変更を行うことなく、既製杭を杭設置孔に容易に設置できるようにしたものである。
【背景技術】
【０００２】
PHC杭やPRC杭などの既製杭の施工方法として、建築予定地内の杭の設置位置に支持層に到達する杭設置孔を掘削し、当該杭設置孔内にPHC杭やPRC杭などの既製杭を先端が支持層に到達するように設置するプレボーリング工法が一般に知られている。
【０００３】
また、建築予定地内に既製杭を施工する場合、通常、複数地点についてボーリング調査を実施し、そのボーリング調査の結果から地下の地盤状態を推定する。
【０００４】
また、ボーリング調査の結果から建物の平面計画に従って決定された杭の設置位置の支持層の深さを推定し、さらにこの杭の設置位置の支持層の深さから設置される既製杭の長さを決定し、工場にて既製杭を製作する。
【０００５】
また、杭の設置位置にスパイラルオーガー等の掘削機によって杭設置孔を掘削する。杭設置孔は設置される既製杭の外径よりやや大径に掘削し、支持層まで連続して掘削する。
【０００６】
その際、掘削機の先端が支持層に到達すると、掘削機の回転抵抗が大きくなる等の現象により実際に杭が設置される位置の支持層の実際の深さを確認することができる。
【０００７】
しかし、その結果、支持層の不陸などで杭設置孔の支持層までの実際の深さが、工場から現地に搬入された既製杭の杭長より深い場合がある。
【０００８】
このような場合、従来、支持層まで到達可能な既製杭を新たに搬入して設置するか、あるいは杭の上に形成されるフーチングの形状を変更する等の方法により対応していた。
【先行技術文献】
【特許文献】
【０００９】
【特許文献１】特許第４２８９６１７号公報
【発明の概要】
【発明が解決しようとする課題】
【００１０】
しかし、既製杭を新たに搬入して設置する前者の方法は、杭の製作に１〜２月もの期間を必要とするため、工期の大幅な遅れを免れないだけでなくきわめて不経済であった。
【００１１】
また、フーチングの形状を変更する後者の方法も、フーチングの設計の見直しを伴うため、前者の方法と同様に工期の大幅な遅れをまねく等の課題があった。
【００１２】
本発明は、以上の課題を解決するためになされたもので、プレボーリング工法による既製杭の施工方法において、杭設置孔の支持層までの深さが既製杭の杭長より深い場合でも、新たに杭を発注したり杭頭部に設置されるフーチングの設計変更を行うことなく、既製杭を杭設置孔に容易に設置できるようにした既製杭の施工方法を提供することを目的とするものである。
【課題を解決するための手段】
【００１３】
本発明は、建設予定地内の杭の設置位置に支持層に到達する杭設置孔を掘削し、当該杭設置孔内に既製杭を杭の先端が前記支持層に到達するように設置する既製杭の施工方法の発明であり、前記杭設置孔の深さが前記既製杭の杭長より深い場合は、前記既製杭の先端部に前記既製杭の先端部より支持層に到達する長さを有する接続杭を接続して設置することを特徴とするものであり、PHC杭やPRC杭、SC杭、或いはRC杭、PC杭などの既製杭で、特に全長が同径に形成されたストレート杭の施工に適している。
【００１４】
基礎杭などの支持杭は、特に上部に曲げモーメントが強く作用するため高品質の杭が必要とされ、また近年、杭頭接合方法の進化により杭端板の重要性が増ししているため、杭の頭部を切除することは好ましくない。一方、杭の先端部は曲げモーメントの影響が小さく、また端板の必要性もないため接続杭を設置しても影響は少ない。
【００１５】
そこで、本発明は、従来行われている杭の頭部に設置されるフーチングの形状を設計変更する等の方法をとるのではなく、杭の先端部に杭の先端部より支持層に到達する長さの接続杭を接続して設置することとしたものである。
【００１６】
この場合の接続杭は、耐曲げモーメント用の杭である必要はなく、Ａ種(導入プレストレス量4N/ｍｍ2)程度の支持耐力を有する耐軸力杭でよい。また、杭の端部に取り付けられている端板を利用して溶接または無溶接継手により容易に接続することができる。なお、接続杭の先端部は根固め部の中に設置するのが望ましい。
【００１７】
また、接続杭は、図2,3に図示するように既存のPHC杭やPRC杭、SC杭、あるいはPC杭、RC杭を適宜長さに切断したものを用いることもでき、さらに同じ現場で切除した杭が発生した場合は、それを接続杭として利用してもよい。
【発明の効果】
【００１８】
本発明によれば、プレボーリング工法によって既製杭を施工する際に、杭設置孔の深さが既製杭の杭長より深い場合でも、前記既製杭の先端部より支持層に到達する接続杭を接続して設置することで、既製杭の再発注や杭の頭部に設置されるフーチングの設計変更を行うことなく、予定の工期内に既製杭を杭設置孔内に容易に設置することができる。
【図面の簡単な説明】
【００１９】
【図１】図１(a)〜(e)は、本発明の既製杭の施工手順の説明図である。
【図２】図2(a),(b),(c)は、長さの異なる接続杭の正面図である。
【図３】図3(a),(b),(c)は、先端に接続杭が接続された既製杭の正面図である。
【発明を実施するための形態】
【００２０】
図1(a)〜(e)は、本発明の既製杭の施工方法の一実施形態を図示したものであり、以下説明する。
【００２１】
既製杭の施工に際しては、事前に建築予定地内においてボーリング調査を実施し、そのボーリング調査の結果から支持層の不陸の有無などの地下の地盤状態を推定する。
【００２２】
また、ボーリング調査の結果から建物の平面計画に従って決定された杭の設置位置の支持層の深さ(設計の支持層の深さ)を推定する。そして、この杭の設置位置の支持層の深さから使用する既製杭の長さを決定し、搬入する。
【００２３】
また、図示するように、杭の設置位置にスパイラルオーガー等の掘削機１によって杭設置孔２を掘削する。杭設置孔２は設置される既製杭３の外径よりやや大径に掘削し、また支持層４まで連続して掘削する。
【００２４】
その際、掘削機１の先端が支持層４に到達すると、掘削機１の回転抵抗が大きくなる等の現象により実際に既製杭３が設置される位置の支持層４の実際の深さを確認することができる。
【００２５】
また、杭設置孔２の支持層４までの実際の深さが搬入された既製杭３の杭長より深い場合は、既製杭３の先端部に、当該既製杭３の先端部より支持層４に到達する長さを有する接続杭５を接続して掘削孔２内に設置する。
【００２６】
接続杭５は、既製杭３の先端部に取り付けられている端板６を利用して溶接継手などによって既製杭３の先端部に接続する。また、接続杭５の先端部は根固め部７の中に設置する。
【００２７】
以上の施工手順により、杭設置孔２の支持層４までの実際の深さが杭設置孔２に設置される既製杭３の杭長より深い場合でも、新たに杭を発注したり杭の頭部に設置されるフーチングの設計変更を行うことなく、既製杭３を杭設置孔２内に容易に設置することができる。
【００２８】
なお、各杭設置孔２の支持層４までの実際の深さは、ボーリング調査の結果などから推定される支持層４の深さとは杭設置孔２ごとに異なるため、既製杭３は、ボーリング調査の結果から推定される杭設置孔２の支持層４までの深さと同等か或いはそれより短めの杭を搬入するのがよい。
【００２９】
また、図2,3に図示するように接続杭として長さの異なる杭5a,5b,5cを数種類ストックしておき、支持層４の不陸に合わせて最適な長さの接続杭5a,5b,5cをそれぞれ既製杭３の先端部に接続して杭設置孔２内に設置することにより杭の施工を効率的に行うことができる。
【００３０】
例えば、設計の支持層４の深さが10ｍのときは、10ｍまたはそれより短めの８ｍの既製杭３を搬入する。また、接続杭５として、例えば１ｍ、２ｍ、或いは３ｍ等といったものをストックしておき、支持層４の深さに応じて使い分けるようにすればよい。これらは、既存のPHC杭、PRC杭、SC杭、PC杭またはRC杭を適宜の長さに切断したものを用いることもできる。さらに、同じ現場で切除した杭が発生した場合は、それを接続杭として利用してもよい。
【産業上の利用可能性】
【００３１】
本発明は、PHC等の既製杭をプレボーリング工法によって施工する際に、杭設置孔の支持層までの深さが既製杭の杭長より深い場合でも、新たに杭を発注したり杭の頭部に設置されるフーチングの設計変更を行うことなく、既製杭を杭設置孔に容易に設置できる。
【符号の説明】
【００３２】
１  掘削機
２  杭設置孔
３  既製杭
４  支持層
５  接続杭
5a  接続杭
5b  接続杭
5c  接続杭
６  端板
７  根固め部
【図１】
2017128878.tif 000003
【図２】
2017128878.tif 000004
【図３】
2017128878.tif 000005